(57)【特許請求の範囲】
【請求項１】
ＵＰＳＲリングネットワーク上のスルーノードを通るパスが選択系か非選択系かを判断する選択系認識方法であって、
前記ネットワーク上の送信ノードは、伝送ルートを識別する第１ラベルを伝送フレームのパスオーバーヘッド中に挿入するステップと、
前記ネットワーク上の受信ノードは、受信した前記伝送フレームの前記パスオーバーヘッド中に、前記受信ノードが選択している伝送ルートを識別する第２ラベルを挿入して、前記送信ノードに折り返すステップと、
前記ネットワーク上の送信ノードは、前記第２ラベルを含む伝送フレームに前記第１ラベルを前記パスオーバーヘッド中に挿入して再度送信するステップと、前記スルーノードは、前記第１及び第２ラベルが一致している場合には、前記スルーノードを通るパスが選択系であることを認識するステップとを含むことを特徴とする認識系選択方法。
【請求項２】
前記パスオーバーヘッドの空バイトを２分割し、前記第１及び第２ラベルを挿入することを特徴とする請求項１記載の選択系認識方法。
【請求項３】
前記認識結果に基づいて表徴器を制御することを特徴とする請求項１記載の選択系認識方法。
【請求項４】
前記表徴器によって前記するスルーノードが前記非選択系であることを認識した場合には、前記スルーノードを保守点検することを特徴とする請求項１記載の選択系認識方法。
【発明の詳細な説明】
【０００１】
【発明が属する技術分野】
本発明は、リングネットワーク・スルーノードにおける選択系認識方法に関し、特に、送信信号を送信ノードで分岐し、通過するスルーノードで受信した信号をスルーし、分岐された信号を受信ノードのセレクタで選択するＵＰＳＲリングネットワークにおいて、受信ノードの選択系情報を送信ノードに折り返し、送信ノードより再度折り返し送信することにより、スルーノードで受信ノードの選択系を認識する方法に関する。
【０００２】
【従来の技術】
図４に示すｕｎｉｄｉｒｅｃｔｉｏｎａｌ  ｐａｔｈ  ｓｗｉｔｃｈｅｄ  ｒｉｎｇ（ＵＰＳＲ）リングネットワークにおいては、送信信号を送信ノード５０１で分岐して送信しているが、通過するスルーノード５０３、５０４では受信した信号をスルーしているのみであり、分岐された信号の選択は受信ノード５０２のセレクタ５２１の動作のみで決まる（Ｂｅｌｌｃｏｒｅ  ＧＲ−１４００−ＣＯＲＥ）。通常、受信ノードとスルーノードは地理的に離れた環境にあり、分岐された信号の選択は受信ノードによってのみ決まることから、保守等の目的でスルーノード５０３、５０４に現用回線が通っているかどうか認識するには、従来は受信ノード５０２の選択系情報を上位の管理ネットワーク等を経由してスルーノードに伝える必要があった。
【０００３】
しかし、この方法では管理対象となるパスの数によっては管理ネットワークへの負荷が増大したり、受信ノードからスルーノードへの選択系情報の伝達スピードが管理ネットワークの性能に依存してしまうという問題がある。
【０００４】
そこで、本発明は、ＵＰＳＲリングネットワークにおいて、管理ネットワークに負荷をかけることなく、又、受信ノードからスルーノードへの選択系情報の伝達スピードが管理ネットワークの性能に依存しない選択系認識方法を提供する。
【０００５】
【課題を解決するための手段】
上記の課題を解決するための本発明は、ＵＰＳＲリングネットワーク上のスルーノードを通るパスが選択系か非選択系かを判断する選択系認識方法であって、前記ネットワーク上の送信ノードは、伝送ルートを識別する第１ラベルを伝送フレームのパスオーバーヘッド中に挿入するステップと、前記ネットワーク上の受信ノードは、受信した前記伝送フレームの前記パスオーバーヘッド中に、前記受信ノードが選択している伝送ルートを識別する第２ラベルを挿入して、前記送信ノードに折り返すステップと、前記ネットワーク上の送信ノードは、前記第２ラベルを含む伝送フレームに前記第１ラベルを前記パスオーバーヘッド中に挿入して再度送信するステップと、前記スルーノードは、前記第１及び第２ラベルが一致している場合には、前記スルーノードを通るパスが選択系であることを認識するステップとを含んでいる。
【０００６】
【発明の実施の形態】
以下、図面を参照して本発明の実施の形態について説明する。図１は本発明のリングネットワーク・スルーノードにおける選択系認識方法に使用する各ノードのブロック図である。図に示すように、送信ノード１０１はＷＥＳＴ回り１５１／ＥＡＳＴ回り１５２のルートを識別するためのラベル情報を挿入する手段を含む。又、受信ノード１０２は、挿入されたラベル情報のいずれかを選択系情報として送信ノード１０１に対して折り返す手段を含む。
【０００７】
従って、選択系情報は再び送信ノード１０１から送信される。スルーノード１０３、１０４においては、それぞれ送信ノード１０１から挿入した異なるラベル情報が固定的に受信されるので、ラベル情報と選択系情報の一致・不一致を判断するのみで、スルーノードを通るパスが選択系か否かを認識できる。
【０００８】
本発明においては、ラベル挿入部を送信ノード１０１に配置し、選択系情報折り返し部を送信ノード１０１および受信ノード１０２に配置し、選択系認識部をスルーノード１０３、１０４に配置する。
【０００９】
図２を参照して、ラベル挿入部１１０において挿入する情報について説明する。
【００１０】
ラベル挿入部１１０では、挿入部１１１、１１２において各フレームのパスオーバーヘッド中の空きバイトＡ（図２（ａ）のバイトＡの前半半分をラベル挿入に使用）に、ＷＥＳＴ回り１５１又はＥＡＳＴ回り１５２のルートを識別するためのラベル情報（図２（ｂ）の３０１、３０２）を挿入する挿入器１１３、１１４を有する。挿入部１１１、１１２の挿入信号の様子を図２（ｃ）、（ｄ）にそれぞれ示す。
【００１１】
受信ノード１０２側の選択系情報折り返し部１２０では、分離部１２１で受信した信号からオーバーヘッド中のバイトＡを分離し、バイトＡから抽出したラベル情報を挿入部１２２で送信信号に挿入し、選択系情報として送信ノード１０１に対し折り返す。
【００１２】
送信ノード１０１側の選択系情報折り返し部１１５では、受信ノード１０２側の選択系情報折り返し部１２０で折り返し挿入された選択系情報を分離部１１７で抽出する。
【００１３】
この選択系情報をラベル挿入部１１０で使用したパスオーバーヘッド中の空きバイトＡの後半半分に挿入部１１６にて挿入して折り返し送信する。挿入部１１６の挿入信号の様子を図２（ｅ）に示す。
【００１４】
スルーノード１０３、１０４の選択系認識部１３０、１４０では、ラベル挿入部１１０から挿入されたラベル情報と、送信ノード側の選択系情報折り返し部１１５から挿入された選択系情報を分離部１３２、１４２で抽出し、比較部１３１、１４１から出力されるラベル情報と選択系情報の比較結果に基づき、表徴器制御部１３３、１４３にてランプ等の表徴器を制御する。
【００１５】
図３（ａ）は、受信ノード１０２でＥＡＳＴ側の信号が選択されている場合を示したものであり、この場合送信ノード１０１において図３（ｂ）のような信号が折り返し送信される。
【００１６】
ラベル挿入部１１０で各ルートに異なるラベル情報を挿入しているため、スルーノード１０３では図３（ｃ）のような信号、スルーノード１０４では図３（ｄ）のような信号をそれぞれ固定的に受信する。
【００１７】
従って、受信ノード１０２、送信ノード１０１で選択系情報の折り返し処理が終わった段階では、スルーノード１０３、１０４が受信する信号はそれぞれ図３（ｅ）、図３（ｆ）となる。
【００１８】
各スルーノード１０３、１０４では、分離器１３２、１４２でラベル情報（バイトＡの前半半分）と選択系情報（バイトＡの後半半分）を抽出し、比較器１３１、１４１で両者を比較することにより、一致していればそのスルーノードを通るパスが選択系、不一致ならば非選択系であることを認識することがでる。
【００１９】
従って、これをランプ等の表徴器の制御と連動させれば、保守者に選択系パスが導通しているか否かを知らせることが可能となる。
【００２０】
すなわち、図３の例においては、スルーノード１０４を通るパスが選択系、スルーノード１０３を通るパスが非選択系と認識される。
【００２１】
【発明の効果】
以上説明した本発明によれば、スルーノードにおいて選択系か否かの情報を認識できるようになり、この情報に基づいてランプ等の表徴器を制御することにより、非選択の場合はランプを消灯して保守者に対し保守可能な状態であることを知らせることが可能となることである。
【００２２】
又、本発明によれば、伝送信号中のオーバーヘッドを利用したことにより、図５のように受信ノードの選択系情報をスルーノーに伝えるための、上位の管理ネットワークを経由するような伝達経路が不要になることである。
【図面の簡単な説明】
【図１】本発明のリングネットワーク・スルーノードにおける選択系認識方法に使用する各ノードのブロック図
【図２】伝送フレーム構成図
【図３】本発明の動作を説明するための伝送フレームの状態を示す図
【図４】従来のＵＰＳＲリングネットワークの概念図
【符号の説明】
１０１  送信ノード
１０２  受信ノード
１０３、１０４  スルーノード
１１０  ラベル挿入部
１１５、１２０  選択系情報折り返し部
１３０、１４０選択系認識部
【図１】
0003562718.tif 000002
【図２】
0003562718.tif 000003
【図３】
0003562718.tif 000004
【図４】
0003562718.tif 000005